(57)【要約】【課題】データ欠落等による天気予報が表示されなくなることを低減すると共に、ユーザにとって、より有用な天気予報を表示する。【解決手段】天気予報表示装置１は、所定期間における各日時の天気の予報である第１予報、及び／又は前記所定期間よりも長い期間における各日時の天気の予報である第２予報を含む天気予報情報を受信する無線通信部１５と、前記天気予報情報に基づいて、所定時間毎の天気予報及び／又は所定日毎の天気予報を表示する表示部１２とを備える。【選択図】図５
2018048934.tif 000002
【特許請求の範囲】
【請求項１】
所定期間における各日時の天気の予報である第１予報、及び／又は前記所定期間よりも長い期間における各日時の天気の予報である第２予報を含む天気予報情報を受信する近距離無線通信部と、
第１天気予報、及び／又は第２天気予報を表示する表示部と、
制御部と、を備え、
前記制御部は、
前記近距離無線通信部が受信した前記天気予報情報のうち前記第１予報を基に前記表示部に表示する前記第１天気予報を決定し、前記近距離無線通信部が受信した前記天気予報情報のうち前記第２予報を基に前記表示部に表示する前記第２天気予報を決定し、
前記近距離無線通信部が前記第１予報を受信できなかった期間があった場合、前記第２予報を基に前記受信できなかった期間に対応する前記第１天気予報を決定する、
ことを特徴とする天気予報表示装置。
【請求項２】
前記第１予報の所定期間は、少なくとも１日分であり、
前記第２予報の期間は、前記第１予報の期間よりも長い複数日分である、
ことを特徴とする請求項１に記載の天気予報表示装置。
【請求項３】
現在の日時を計時する計時部と、を備え、
前記制御部は、
前記近距離無線通信部が前記天気予報情報を受信した日時である受信日時を前記計時部が計時する日時から特定し、
前記計時部で計時する現在の日時、及び特定した前記受信日時に応じて前記第１天気予報及び前記第２天気予報を更新する、
ことを特徴とする請求項１又は２に記載の天気予報表示装置。
【請求項４】
現在の日時を計時する計時部と、
前記第１天気予報、及び／又は前記第２天気予報を所定の声色で発音して通知する発音部と、を備え、
前記制御部は、
前記近距離無線通信部が前記天気予報情報を受信した日時である受信日時を前記計時部が計時する日時から特定し、
前記計時部で計時する現在の日時、及び特定した前記受信日時に応じて前記所定の声色を変更する、
ことを特徴とする請求項１乃至３のいずれか一項に記載の天気予報表示装置。
【請求項５】
前記第１予報の所定期間を複数の時間帯に係る天気の予報を含み、
前記制御部は、前記第１予報の前記複数の時間帯に係る天気の予報に特定の天気の予報が含まれる場合、前記特定の天気を前記表示部に表示する前記第１天気予報として決定する、
ことを特徴とする請求項１乃至４のいずれか一項に記載の天気予報表示装置。
【請求項６】
請求項１乃至５のいずれか一項に記載の天気予報表示装置と、
現在の日時を計時する計時部と、を備え、
前記制御部は、前記計時部が計時する現在日時を前記表示部に表示させる
ことを特徴とする電子時計。
【請求項７】
近距離無線通信部と、表示部と、制御部と、を備える天気予報表示装置の表示制御方法であって、
前記近距離無線通信部が、所定期間における各日時の天気の予報である第１予報、及び前記所定期間よりも長い期間における各日時の天気の予報である第２予報を含む天気予報情報を受信するステップと、
前記制御部が、前記近距離無線通信部が受信した前記天気予報情報のうち前記第１予報を基に前記表示部に表示する第１天気予報を決定し、前記近距離無線通信部が受信した前記天気予報情報のうち前記第２予報を基に前記表示部に表示する第２天気予報を決定するステップ、
前記制御部が、前記近距離無線通信部が前記第１予報を受信できなかった期間があった場合、前記第２予報を基に前記受信できなかった期間に対応する前記第１天気予報を決定するステップ、
前記表示部が、前記第１天気予報、及び／又は前記第２天気予報を表示するステップ、
を含むことを特徴する表示制御方法。
【請求項８】
近距離無線通信部と、表示部と、制御部と、を備える天気予報表示装置のコンピュータに、
前記近距離無線通信部に、所定期間における各日時の天気の予報である第１予報、及び前記所定期間よりも長い期間における各日時の天気の予報である第２予報を含む天気予報情報を受信させる手順、
前記制御部に、前記近距離無線通信部が受信した前記天気予報情報のうち前記第１予報を基に前記表示部に表示する第１天気予報を決定させ、前記近距離無線通信部が受信した前記天気予報情報のうち前記第２予報を基に前記表示部に表示する第２天気予報を決定させる手順、
前記制御部に、前記近距離無線通信部が前記第１予報を受信できなかった期間があった場合、前記第２予報を基に前記受信できなかった期間に対応する前記第１天気予報を決定させる手順、
前記表示部に、前記第１天気予報、及び／又は前記第２天気予報を表示させる手順、
を実行させるための天気予報表示プログラム。
【発明の詳細な説明】
【技術分野】
【０００１】
本発明は、天気予報を表示する天気予報表示装置、表示制御方法、天気予報表示プログラム及び電子時計に関する。
【背景技術】
【０００２】
従来の天気予報時計等の天気予報表示装置では、気圧の変化を計測して天気予報を行っていた。このため、直近の気圧の変化による天気予報や気圧を検出した地点の天気予報や決まった時間・範囲での天気予報しかできないという問題があった。
【０００３】
この問題を解決するものとして、例えば、特許文献１に記載のナビゲーション装置の発明がある。特許文献１の要約書の解決手段には、「位置情報取得部３１により自動車の現在位置に関する情報を取得し、気象データ取得部３３によりこの現在位置を含む地域の気象情報を取得する。気象データ解析部３４によって取得された気象情報を解析し、所定面積単位に区分された各領域の天気予報の分布図を生成する。表示制御部３５は地図データ格納部３２に格納された地図データ上に、生成された天気予報の分布図を重ねて表示した表示画像データを生成し、表示用モニタ２５上に表示する。」と記載されている。
【先行技術文献】
【特許文献】
【０００４】
【特許文献１】特開２０００−２５８１７４号公報
【発明の概要】
【発明が解決しようとする課題】
【０００５】
上記特許文献１のナビゲーション装置では、電波受信環境の要因によりネットワーク通信が不通となって、特定の時間帯の気象情報（天気予報情報）が受信できなった場合については考慮されていない。よって、特許文献１のナビゲーション装置では、表示する天気予報が欠落してしまう問題がある。
【０００６】
また、先行技術では、機器外部から受信した気象情報（天気予報情報）を表示することが開示されているにすぎず、表示内容の有用性について考慮されていない。
【０００７】
本発明の目的は、データ欠落等により天気予報が表示されなくなることを低減すると共に、ユーザにとって、より有用な天気予報を表示することである。
【課題を解決するための手段】
【０００８】
上記の課題を解決するために、本発明の天気予報表示装置は、
所定期間における各日時の天気の予報である第１予報、及び／又は前記所定期間よりも長い期間における各日時の天気の予報である第２予報を含む天気予報情報を受信する近距離無線通信部と、
第１天気予報、及び／又は第２天気予報を表示する表示部と、
制御部と、を備え、
前記制御部は、
前記近距離無線通信部が受信した前記天気予報情報のうち前記第１予報を基に前記表示部に表示する前記第１天気予報を決定し、前記近距離無線通信部が受信した前記天気予報情報のうち前記第２予報を基に前記表示部に表示する前記第２天気予報を決定し、
前記近距離無線通信部が前記第１予報を受信できなかった期間があった場合、前記第２予報を基に前記受信できなかった期間に対応する前記第１天気予報を決定する、
ことを特徴とする。
【発明の効果】
【０００９】
本発明によれば、データ欠落等により天気予報が表示されなくなることを低減すると共に、ユーザにとって、より有用な天気予報を表示することができる。
【図面の簡単な説明】
【００１０】
【図１】実施形態の天気予報表示装置のシステム構成を示す図である。
【図２】実施形態の天気予報表示装置の外観図である。
【図３Ａ】天気予報表示装置の３時間毎の天気予報情報の表示例である。
【図３Ｂ】天気予報表示装置の天気予報の表示例である。
【図３Ｃ】天気予報表示装置の４地点の予測天気の表示例である。
【図４】携帯端末の設定画面の一例を示す図である。
【図５】天気予報表示装置のハードウェア構成を説明する図である。
【図６】天気予報のデータ構成を示す図である。
【図７】週間天気予報のデータ構成を示す図である。
【図８】天気予報情報の送信シーケンスを示す図である。
【図９Ａ】第１時刻の天気予報の表示を説明する図である。
【図９Ｂ】第１時刻の天気予報のスクロール表示を説明する図である。
【図９Ｃ】第２時刻の天気予報の表示を説明する図である。
【図９Ｄ】第３時刻の天気予報の表示を説明する図である。
【図９Ｅ】第４時刻の天気予報の表示を説明する図である。
【図１０】天気予報の表示処理を説明する図である。
【図１１】天気予報を変換して表示する方法を説明する図である。
【発明を実施するための形態】
【００１１】
以下、本発明の実施形態について、図面を参照しながら詳細に説明する。
図１は、実施形態の天気予報表示装置１のシステム構成を示す図である。
実施形態の天気予報表示装置１は、Bluetooth（登録商標）等の近距離無線通信路４によりスマートフォン等の携帯端末２に接続する。携帯端末２は、携帯電話網５を介して、天気予報情報を提供する天気予報情報サーバ３に接続しており、携帯端末２から天気予報表示装置１に天気予報情報が送信される。
【００１２】
詳細は図８により後述するが、携帯端末２は、所定時刻に、天気予報表示装置１との接続状態を確認する。そして、携帯端末２は、通信が可能な状態であれば、天気予報情報サーバ３から所定の地点毎の３時間毎の天気予報と、週間天気予報と、予測気温等とを含む天気予報情報を受信する。携帯端末２は、受信した天気予報情報を天気予報表示装置１に送信する。
【００１３】
天気予報表示装置１は、携帯端末２から送信された天気予報情報を記憶し、つぎに天気予報情報が送信されるまで、記憶した天気予報情報に基づく天気予報を表示している。
このように、天気予報表示装置１は、近距離無線通信路４により携帯端末２が通信可能な状態であれば、天気予報情報を更新して、最新の天気予報を表示することができる。
【００１４】
図２は、実施形態の天気予報表示装置１の外観を示す図である。
実施形態の天気予報表示装置１は、右側の天気予報表示領域１２ａと左側の時刻表示領域１２ｂが並列表示された大画面を持つ置き時計となっている。
図示されていないが、背面には操作ボタンが配置され、時刻・日付の初期設定、音声ガイドのＯＮ／ＯＦＦ、電波時計のＯＮ／ＯＦＦ、Bluetooth通信のＯＮ／ＯＦＦ、音量設定、バックライトの入切設定等の操作指示を行うことができる。
【００１５】
つぎに、図３Ａから図３Ｃにより、実施形態の天気予報表示装置１の表示例を説明する。
天気予報表示装置１は、時刻表示領域１２ｂに時分秒と曜日の表示を行うと共に、天気予報表示領域１２ａに、３時間毎の天気予報（図３Ａ）、一週間分の天気予報である週間天気予報（図３Ｂ）、予め設定された４地点の天気予報（図３Ｃ）のいずれかを表示する。
【００１６】
詳細には、図３Ａに示すように、時刻表示領域１２ｂは、時分表示領域３１と秒表示領域３２と曜日表示領域３３を持つ。
そして、天気予報表示領域１２ａは、地点表示領域３８と、時刻表示領域３４、天気マーク表示領域３５と、予測気温表示領域３６と、天気予報情報を受信した時点からの経過時間に関する表示を行う表示領域３９を含んで構成される。所定地点の天気予報の時間変化を示している。
【００１７】
地点表示領域３８は、天気予報に係る地点を示している。図３Ａでは「自宅」と表示され、天気予報表示装置１が表示する天気予報に係る地点が、ユーザの自宅であることを示している。
時刻表示領域３４は、天気予報に係る時刻を表示する領域であり、現在時刻に一番近い時刻から順に、３時間毎の時刻が表示される。図３Ａに示す天気予報表示装置１では、４点の日時に係る天気予報を表示し、当日の残りの時刻は、表示画面を切り替えて表示する。具体的にいうと、天気予報表示装置１は、現在時刻である６：５８に一番近い６時から、９時、１２時、１５時の時刻を表示し、１８時と２１時は、画面を切り替えるか、又は、横スクロールして表示する。
【００１８】
天気マーク表示領域３５は、時刻表示領域３４に表示されている時刻の天気予報に対応する天気マークを表示する領域である。図３Ａでは、６時から順に、「晴れ」「晴れ」「くもり」「雨」の天気予報を、天気マークで表示している。
予測気温表示領域３６は、時刻表示領域３４に表示されている時刻の予測気温を表示する領域である。なお、天気予報表示装置１は、予測気温に替えて、予測降水量を表示してもよい。
【００１９】
図３Ａの例では、１８時と２１時は、画面を切り替えて表示するようにしているが、１５時の天気予報から表示する場合には、切替えや横スクロールを行わずに表示することができる。
なお、図３Ａでは、４つの日時に係る天気予報を表示しているが、表示する天気予報は、４つに限定されない。
【００２０】
更に、図示していないが、時刻表示領域１２ｂには、西暦年、月日の表示を行うこともできる。
また、天気予報表示装置１は、内蔵する温度センサ１９ａと湿度センサ１９ｂ（図５参照）により、検出した室内の温度や湿度を表示することもできる。
【００２１】
図３Ｂは、所定地点の週間天気予報の表示例である。ここで、時刻表示領域１２ｂの構成は、図３Ａと同様であるので説明を省略する。
天気予報表示領域１２ａは、地点表示領域３８と、天気予報の日付表示領域３７、天気マーク表示領域３５と、予測気温表示領域３６と、天気予報情報を受信した時点からの経過時間に関する表示領域３９とを含んで構成され、週間天気予報を示している。
【００２２】
地点表示領域３８は、天気予報に係る地点を示している。図３Ｂでは「自宅」と表示され、天気予報表示装置１が表示する天気予報に係る地点が、ユーザの自宅であることを示している。
日付表示領域３７は、週間天気予報に係る日付を表示する領域であり、７日間のうち、当日に近い４日の日付が表示される。図３Ｂに示す天気予報表示装置１では、当日を１２／３０としたとき、１２／３１と１／１と１／２と１／３の４点の日付を表示し、１／４と１／５は、画面を切り替えるか、又は、横スクロールして表示する。
【００２３】
天気マーク表示領域３５は、日付表示領域３７に表示されている日付の天気予報に対応する天気マークを表示する領域である。図３Ｂでは、１２／３１から順に、「雨のち晴れ」「くもり時々晴れ」「晴れ」「晴れ」の天気予報を、天気マークで表示している。
予測気温表示領域３６は、日付表示領域３７に表示されている日付の予測気温を表示する領域である。なお、天気予報表示装置１は、予測気温に替えて、予測降水量を表示してもよい。
【００２４】
天気予報表示装置１は、表示モードの設定により、図３Ａの３時間毎の天気予報と、図３Ｂの週間天気予報の表示のうち、いずれか一方の天気予報の表示を行うようにする。
また、天気予報表示装置１は、当日の３時間毎の天気予報情報を表示（図３Ａ）した後に、週間天気予報の表示（図３Ｂ）を行い、これを繰り返すようにしてもよい。
更に、天気予報表示装置１は、予め設定された地点毎に３時間毎の天気予報を順次表示し、その後、地点毎に週間天気予報を順次表示してもよい。また、天気予報表示装置１は、３時間毎の天気予報の表示（図３Ａ）と週間天気予報の表示（図３Ｂ）を地点毎に順次行うようにしてもよい。
【００２５】
図３Ｃは、予め設定された４地点の３時間毎の天気予報を時間毎に順次表示する表示例を示している。時刻表示領域１２ｂの構成は、図３Ａと同様であるので説明を省略する。
天気予報表示領域１２ａは、地点表示領域３８と、時刻表示領域３４と、天気マーク表示領域３５と、予測気温表示領域３６と、天気予報情報を受信した時点からの経過時間に関する表示領域３９を含んで構成され、設定された地点の天気予報を、４地点同時に、時間毎に表示する。
【００２６】
地点表示領域３８は、天気予報に係る地点を示している。図３Ｃでは「自宅」「外出先１」「外出先２」「外出先３」が表示される。「自宅」は、天気予報表示装置１が設置されている地点である。「外出先１」「外出先２」「外出先３」は、ユーザが天気予報を表示させるために、予め設定された地点を示している。
時刻表示領域３４は、表示する天気予報に係る時刻を表示する領域である。図３Ｃでは、「自宅」「外出先１」「外出先２」「外出先３」の４地点の９時における天気予報を表示している。
【００２７】
天気マーク表示領域３５は、時刻表示領域３４に表示されている時刻における各地の天気予報に対応する天気マークを表示する領域である。図３Ｃでは、「自宅」地点が「晴れ」、「外出先１」地点が「晴れ」、「外出先２」地点が「くもり」、「外出先３」地点が「くもり」であることを、天気マークで表示している。
予測気温表示領域３６は、時刻表示領域３４に表示されている時刻における各地の予測気温を表示する領域である。なお、天気予報表示装置１は、予測気温に替えて、予測降水量を表示してもよい。
【００２８】
天気予報表示装置１は、図３Ａ、図３Ｂ、及び図３Ｃにおいて、時間が経過すると共に、経過した時間帯の天気予報と予測気温を消去し、新たな時間における天気予報と予測気温とを表示する。
この際、天気予報表示装置１は、天気予報や予測気温を、音声により読み上げるようにしてもよい。
【００２９】
ところで、にわか雨や局地的大雨等の３時間より短い時間の天気の変化が予測される場合がある。このような場合には、天気マーク表示領域３５の該当時間の天気マークを点滅表示して注意喚起してもよい。
【００３０】
実施形態の天気予報表示装置１は、過去の所定日時において携帯端末２と接続し、天気予報情報が携帯端末２から送信されている。これに加えて、天気予報表示装置１は、携帯端末２により初期設定や動作モードを設定できる。
【００３１】
図４は、携帯端末２により天気予報表示装置１を設定する一例として、天気予報に係る地点の登録と、気温表示や降水量表示を行うか否かの設定と、音声読み上げによる天気案内を行うか否かの設定を行う携帯端末２の設定画面を示している。スマートフォン等の携帯端末２は、天気予報表示装置用のアプリケーションプログラムを実行することにより、図４の設定画面を表示する。
携帯端末２は、図４の設定画面に従って設定された地点における天気予報情報を、天気予報情報サーバ３から受信する。
【００３２】
つぎに、図４の設定画面の詳細を説明する。
設定画面の「予定地」ボタン２２ｂ〜２２ｄは、「自宅」以外の外出先１〜３の地点を設定するボタンである。
設定画面の「都市名」ボタン２１ａ〜２１ｄは、自宅及び外出先１〜３の地点の名称（例えば、都市名など）を設定するボタンである。
設定画面のラジオボタン２３ｂ〜２３ｄは、「予定地」ボタン２２ｂ〜２２ｄで設定した各地点を天気予報の表示対象とするか否かを設定するボタンである。これにより携帯端末２は、天気予報情報サーバ３から各地点に係る天気予報を受信するようになる。
【００３３】
ラジオボタン２４は、天気予報の表示と連動して、気温表示を行うか否かを設定するボタンである。
ラジオボタン２５は、天気予報の表示と連動して、降水量表示を行うか否かを設定するボタンである。
ラジオボタン２６は、天気予報の表示の更新に連動して、天気予報を音声で読み上げるか否かを設定するボタンである。
【００３４】
この設定画面により、スマートフォンの画面操作により容易に設定を行うことができるので、天気予報表示装置１のボタンや画面の操作に限定されず、よって使い勝手を向上することができる。
更に、携帯端末２とアプリケーションプログラムにより、天気予報情報サーバ３から提供される天気予報情報における対象地点の増加等があった場合、ユーザは、より近い対象地点を設定することができる。これにより、天気予報表示装置１の使い勝手を向上することができる。
【００３５】
つぎの、図５により、天気予報表示装置１のハードウェア構成を説明する。
実施形態の天気予報表示装置１は、時計機能をあわせて持つ構成となっている。
天気予報表示装置１は、表示ドライバ１３により表示データが駆動され時刻表示と天気予報情報表示を行う液晶パネル等の表示部１２と、電池を内蔵して天気予報表示装置１の各部に電力供給を行う電源供給部１７と、天気予報表示装置１の背面に設けられて初期設定や動作設定の操作指示を行う操作ボタンなどからなる操作受付部１４と、携帯端末２と近距離通信を行う無線通信部１５と、音声等を出力するスピーカ１０とを備えている。
更に、上記の各部が接続し、天気予報表示装置１を制御するマイクロコンピュータ１１が設けられている。
【００３６】
より詳細にいうと、マイクロコンピュータ１１は、ＲＯＭ（Read Only Memory）１８に格納されるプログラムに基づいて処理を行うＣＰＵ（Central Processing Unit）１１０と、音声出力等の信号処理を行う発音部１１１と、その他の周辺回路１１５と、ＣＰＵ１１０の演算データを記憶するＲＡＭ（Random Access Memory）１１６と、振動子１６を駆動して所定の周波数の信号を生成する発信回路１１８ｂ、発信回路１１８ｂで生成された所定の周波数の信号を分周する分周回路１１８ａ、分周回路１１８ａから入力される信号に基づいて現在の日時をカウントする計時回路１１８ｃを含んで構成される計時部を備えている。この計時部は、現在の日時を計時する。
ＲＡＭ１１６には、天気予報情報１１３と週間天気予報情報１１４とが格納される。
【００３７】
詳細は後述するが、ＣＰＵ１１０がＲＯＭ１８のプログラムを実行することにより、制御部１１２が具現化される。制御部１１２は、計時部が計時する現在日時を表示部１２に表示させる。そして、制御部１１２は、天気予報情報１１３と週間天気予報情報１１４を参照して、表示部１２に天気予報を表示させる。具体的にいうと、制御部１１２は、無線通信部１５が受信した天気予報情報１１３を基に表示部１２に表示させる天気予報を決定し、無線通信部１５が受信した週間天気予報情報１１４を基に表示部１５に表示させる週間天気予報を決定し、無線通信部１５が天気予報情報１１３を受信できなかった期間があった場合、週間天気予報情報１１４を基に、受信できなかった期間に対応する天気予報を決定する。制御部１２は更に、無線通信部１５が天気予報情報１１３を受信した日時を計時部が計時する日時から特定し、計時部で計時する現在の日時、及び特定した受信日時に応じて、表示部１２に表示させる天気予報及び週間天気予報を決定する。
発音部１１１は、スピーカ１０により、天気予報及び／又は週間天気予報を所定の声色で発音して通知する。制御部１２は、操作受付部１４に含まれる不図示の音声ボタンが操作されたときに、発音部１１１により、スピーカ１０から天気予報及び／又は週間天気予報を所定の声色で出力させる。
【００３８】
また、マイクロコンピュータ１１には、温度センサ１９ａと湿度センサ１９ｂが接続され、天気予報表示装置１の現在地の温度と湿度を取得して表示部１２に表示する。
無線通信部１５は、携帯端末２から、２４時間（３時間毎に８点）の天気予報（第１予報）、及び／又は１週間後まで（１日毎に７点）の天気の予報（第２予報）を受信する。
表示部１２は、第１予報及び／又は第２予報に基づいて、所定時間毎の天気予報及び／又は所定日毎の天気予報を表示する。これら各部の動作は、後記する。
【００３９】
つぎに、図６により、天気予報情報１１３のデータ構成について説明する。
この天気予報情報１１３は、無線通信部１５を介して携帯端末２から受信した４地点の天気予報情報１３３ａ〜１３３ｄを含んでいる。天気予報情報１３３ａ〜１３３ｄは、２４時間における３時間毎・８点の天気予報情報を含んでいる。天気予報情報１１３は、携帯端末２から受信した情報であり、かつ複数地点の複数の時刻における天気予報情報を含んで構成される。各天気予報情報は、１地点における１時刻の天気予報の情報である。
【００４０】
図６に示すように、天気予報情報１１３には、自宅の天気予報情報１１３ａと、外出先１の天気予報情報１１３ｂと、外出先２の天気予報情報１１３ｃと、外出先３の天気予報情報１１３ｄの４つの情報が含まれる。天気予報情報１１３ａ〜１１３ｄは、それぞれ当日の３時間毎に８点の情報を含み、各情報は、項番情報１１３１と、受信日時情報１１３２と、時刻情報１１３３と、天気番号情報１１３４と、予測気温情報１１３５と、予測降水量情報１１３６を含んで構成される。
【００４１】
受信日時情報１１３２は、無線通信部１５が天気予報情報１１３を受信した日時を計時部が計時する日時から特定した日時情報である。制御部１２は、携帯端末２から天気予報情報を受信した際に、計時部が計時する日時から日時情報を特定して、その日時を記録する。天気予報表示装置１は、天気予報を表示する際に、表示領域３９における天気予報情報を受信した時点からの経過時間に関する表示を更新する。
これに限らず受信日時情報１１３２は、天気予報情報サーバ３から携帯端末２が、この天気予報情報１１３を受信した日時であってもよい。携帯端末２は、各点に係る天気予報情報を受信した際に、その日時を記録する。天気予報表示装置１は、天気予報を表示する際に、表示領域３９における天気予報情報を受信した時点からの経過時間に関する表示を更新する。
なお、受信日時情報１１３２に代えて、天気予報情報サーバ３が天気予報情報１１３と共に、この天気予報情報１１３をインターネットに公開した日時の情報を送信してもよい。これによりユーザは、表示部１２に表示されている天気予報が、どの日時のものであるかを把握できる。
【００４２】
時刻情報１１３３は、天気予報情報の時刻を示している。
天気番号情報１１３４は、その時刻の天気予報に対応する番号を示している。例えば、天気番号情報が「３」は天気予報の「雨」に対応し、「２」は「くもり」に対応し、「１」は「晴れ」に対応している。
【００４３】
予測気温情報１１３５は、その時刻における気温が予測された値に係る情報である。
予測降水量情報１１３６は、その時刻における降水量が予測された値に係る情報である。
この予測気温情報１１３５と予測降水量情報１１３６は、図４の気温表示のラジオボタン２４と降水量表示のラジオボタン２５の設定によっては、受信されないことがある。
【００４４】
なお、天気予報表示装置１が３時間毎の６点（１８時間分）の天気予報を表示するのであれば、天気予報情報１１３は６点の情報を記録できればよい。また、天気予報表示装置１は、複数日分の天気予報を表示するのであれば、表示部１２に、表示点数分の領域を確保すればよい。
【００４５】
つぎに、図７により、週間天気予報情報１１４のデータ構成について説明する。
この週間天気予報情報１１４には、所定のタイミングで無線通信部１５を介して携帯端末２から受信した４地点の週間天気予報情報１１４ａ〜１１４ｄが記録される。
【００４６】
図７に示すように、週間天気予報情報１１４には、自宅の週間天気予報情報１１４ａと、外出先１の週間天気予報情報１１４ｂと、外出先２の週間天気予報情報１１４ｃと、外出先３の週間天気予報情報１１４ｄの４つの情報が含まれる。週間天気予報情報１１４ａ〜１１４ｄは、それぞれ１日毎・７点の情報を含み、各情報は、項番情報１１４１と、受信日情報１１４２と、日付情報１１４３と、天気番号情報１１４４と、予測最高気温情報１１４５と、予測降水確率情報１１４６を含んで構成される。この週間天気予報情報１１４ａ〜１１４ｄは、天気予報情報１１３ａ〜１１３ｄよりも長い期間における天気予報情報を含んでいる。
【００４７】
ここで、受信日情報１１４２は、天気予報情報を受信した日付を示している。天気予報表示装置１は、週間天気予報を表示する際に、表示領域３９に、天気予報に係る天気予報情報を受信した時点からの経過時間に関する表示を行う。
【００４８】
日付情報１１４３は、天気が予報された日付を示している。
天気番号情報１１４４は、その日付の天気について予測される天気を示す番号である。例えば、天気番号情報１１４４が「２１１」は「曇りのち晴れ」を示し、「２１０」は「曇りのち時々晴れ」を示し、「１０１」は「晴れ時々曇り」を示し、「２００」は「くもり」を示している。
【００４９】
予測最高気温情報１１４５は、その日付における最高気温が予測された値に係る情報である。
予測降水確率情報１１４６は、その日付における降水確率が予測された値に係る情報である。
【００５０】
つぎに、図８により、天気予報情報の送信シーケンスを説明する。
図８は、例えば、天気予報情報サーバ３において、毎日０時３０分、６時、１１時、１８時の４回更新される天気予報情報１３３と、毎日１７時に更新される週間天気予報情報１３４における一回の天気予報情報の送信シーケンスを示している。
【００５１】
携帯端末２は、上記の時刻になると、天気予報情報サーバ３に情報を要求して（ステップＳ８０）、更新された天気予報情報を受信する（ステップＳ８１）。携帯端末２は、天気予報情報サーバ３から受信した天気予報情報を記憶部（不図示）に保存する（ステップＳ８２）。
その後、携帯端末２は、天気予報表示装置１が近距離無線通信路４を介して通信接続されているか否かの確認を行う（ステップＳ８３）。この通信接続されているか否かの確認において、携帯端末２は、通信パケットを監視し、所定時間に亘って応答パケットが受信されなかったならば、通信接続がされていないと判定する。天気予報表示装置１は、携帯端末２からパケットを受信したら、応答パケットを携帯端末２に送信して応答を行う（ステップＳ８４）。これにより、天気予報表示装置１と携帯端末２との間の通信接続が確立される。
【００５２】
そして、天気予報表示装置１は、携帯端末２に情報を要求する(ステップＳ８５)。携帯端末２は、ステップＳ８２で保存していた天気予報情報を天気予報表示装置１に送信する（ステップＳ８６）。
天気予報表示装置１は、受信した天気予報情報を処理して天気予報情報１１３又は週間天気予報情報１１４を生成し、ＲＡＭ１１６に格納（更新）する（ステップＳ８７）。
なお、ステップＳ８２において携帯端末２は、天気予報情報サーバ３から各種情報を受信した日時の情報（受信日時情報）と共に、受信した天気予報情報を記憶部（不図示）に保存してもよい。この受信日時情報は、ステップＳ８６において天気予報表示装置１が受信してもよい。
更に天気予報情報サーバ３は、ステップＳ８０において、天気予報情報と共に、この天気予報情報をインターネットに公開した日時情報を送信してもよい。この公開日時情報は、ステップＳ８６において天気予報表示装置１が受信してもよい。
【００５３】
上記の携帯端末２の処理は、携帯端末２にインストールされたアプリケーションプログラムを、携帯端末２のＣＰＵ（不図示）が実行することにより具現化される。携帯端末２は、天気予報表示装置１との通信接続中に、天気予報情報サーバ３の天気予報情報を天気予報表示装置１に送信する。
このため、携帯端末２のアプリケ―ションプログラムは、バックグラウンドでも動作するように実装されているとよい。
【００５４】
上記のように、天気予報表示装置１の天気予報情報は、最新の情報に更新される。天気予報表示装置１と携帯端末２とが未接続である場合、天気予報表示装置１は、記憶した天気予報情報を時間経過と共に更新し、表示する。
つぎに、天気予報情報の表示の時間が経過することによる変化を説明する。
【００５５】
以下の説明は、７月２７日の１７時と７月２８日の０時３０分において天気予報表示装置１と携帯端末２とのリンクが確立しているが、７月２８日の６時と１１時において、天気予報表示装置１と携帯端末２とが未接続であった場合を想定している。
【００５６】
図９Ａは、７月２８日の６時５８分における天気予報表示領域１２ａを示している。
天気予報表示領域１２ａには、６時・９時・１２時・１５時の天気予報及び気温が、それぞれ表示されている。
この場合に、天気予報表示装置１は、６点の天気予報を表示するために、図９Ｂに示す画面を切り替えて、天気予報表示領域１２ａに１８時と２１時の天気予報及び予測気温を表示する。このとき、７月２８日の朝６時において、天気予報情報サーバ３がシステムダウンしており、天気予報情報１１３が未更新となっている。天気予報表示装置１は、７月２８日の０時３０分において、携帯端末３から受信した天気予報情報に基づいて、天気予報を表示する。つまり、図６に示したように、天気予報情報１１３の受信日時情報１１３２には、“７／２８  ０：３０”が格納されている。
また、天気予報情報を受信した時点からの経過時間は、６時間２８分である。これは８時間以内なので、天気予報表示装置１は、天気予報情報を受信した時点からの経過時間に関する表示領域３９（図３Ａ参照）に、「最新情報」を表示する。
【００５７】
ところで、天気予報表示装置１は、この表示領域３９には、天気予報情報を受信した時点からの経過時間が８時間以内であれば「最新情報」を表示し、１２時間以内であれば「１２Ｈ内情報」を表示し、２４時間以内であれば「２４Ｈ内情報」を表示する。そして、天気予報情報を受信した時点からの経過時間が２４時間より経過していれば、ブランク（空白）とする。これにより、ユーザは、天気予報表示装置１に表示されている天気予報が最新のものであるか否かを把握することができる。
制御部１２は、計時部で計時する現在の日時、及び特定した受信日時に応じて、発音部１１１の声色を設定する。制御部１２は、例えば、天気予報情報を受信した時点からの経過時間が８時間以内であればソプラノの声色を設定し、１２時間以内であればメゾソプラノの声色を設定し、２４時間以内であればアルトの声色を設定し、２４時間より経過していれば、テノールの音声を設定する。
なお、これに限られず、制御部１２は、天気予報情報を受信した時点からの経過時間が８時間以内であれば２０代女性の声色を設定し、１２時間以内であれば３０代女性の声色を設定し、２４時間以内であれば４０代女性の声色を設定し、２４時間より経過していれば、６０代女性の音声を設定してもよい。
【００５８】
図９Ｃは、７月２８日の１０時４５分における天気予報表示領域１２ａを示している。
天気予報表示領域１２ａには、１２時・１５時・１８時・２１時の天気予報及び気温が、それぞれ表示されている。
天気予報表示装置１は、携帯端末３が７月２８日の０時３０分において、天気予報情報サーバ３から受信した天気予報情報に基づいて、天気予報を表示する。つまり、図６に示したように、天気予報情報１１３の受信日時情報１１３２には、“７／２８  ０：３０”が格納されている。
また、天気予報情報を受信した時点からの経過時間は、１０時間１５分である。これは８時間から１２時間の間なので、天気予報表示装置１は、天気予報情報を受信した時点からの経過時間に関する表示領域３９に、「１２Ｈ内情報」を表示する。操作受付部１４に含まれる不図示の音声ボタンが操作されると、制御部１２は、発音部１１１により、スピーカ１０から天気予報及び／又は週間天気予報を、メゾソプラノの声色で出力させる。
【００５９】
図９Ｄは、７月２８日の１５時１２分における天気予報表示領域１２ａを示している。天気予報表示領域１２ａは、１５時・１８時・２１時の天気予報及び気温が、それぞれ表示されている。
また、天気予報情報を受信した時点からの経過時間は、１４時間４２分である。これは１２時間から２４時間の間なので、天気予報表示装置１は、天気予報情報を受信した時点からの経過時間に関する表示領域３９に「２４Ｈ内情報」を表示する。操作受付部１４に含まれる不図示の音声ボタンが操作されると、制御部１２は、発音部１１１により、スピーカ１０から天気予報及び／又は週間天気予報を、アルトの声色で出力させる。
【００６０】
図９Ｅは、７月２９日の７時における天気予報表示領域１２ａを示している。この図９Ｅには、携帯端末２から、７月２８日１７時と１８時と、７月２９日の０時３０分と６時の天気予報情報が受信できなかった場合の天気予報表示領域１２ａを示している。天気予報表示領域１２ａには、週間天気予報情報１３４に含まれる７月２９日の天気予報が表示されている。天気予報表示装置１は、週間天気予報情報１１４を参照して、７月２９日の天気予報が格納されていれば、その天気予報を表示する。
また、天気予報情報を受信した時点からの経過時間は、３０時間３０分である。これは２４時間を超えているので、天気予報表示装置１は、表示領域３９をブランク（空白）表示する。操作受付部１４に含まれる不図示の音声ボタンが操作されると、制御部１２は、発音部１１１により、スピーカ１０から天気予報及び／又は週間天気予報を、テノールの声色で出力させる。
【００６１】
このように、天気予報表示装置１は、天気予報情報１１３に、表示時刻に対応する情報が無いと、週間天気予報情報１１４から表示日の天気予報を検索して、これを表示する。つまり、天気予報表示装置１は、既に受信した天気予報情報（第１予報情報）の期間を超えた日時については、既に受信した天気予報情報よりも長い期間における天気予報情報（第２予報情報）のうち対応する日時の天気予報を表示する、これにより、天気予報が表示されなくなることを低減することができる。
【００６２】
つぎに、図１０により、上述した天気予報情報の表示の更新タイミングを制御する制御部１１２による天気予報の表示処理を説明する。
まず、制御部１１２は、ステップＳ１０１において、携帯端末３から受信した天気予報情報が更新されたものであるか否かを判定し、更新されていなければ、更新されるまで待つ（ステップＳ１０１→Ｎｏ）。
【００６３】
制御部１１２は、天気予報情報が更新されると（ステップＳ１０１→Ｙｅｓ）、計時部から現在の時刻を決定し、この現在時刻から天気予報の表示時刻を決定する（ステップＳ１０２）。そして、制御部１１２は、ステップＳ１０３〜Ｓ１０９により、表示部１２に表示された天気予報情報を受信した時点からの経過時間を求める。
【００６４】
制御部１１２は、まず、ステップＳ１０３において、天気予報情報１１３の受信日時情報１１３２を参照して、データ受信した時点からの経過時間が２４時間を超えているか否かを判定し、経過時間が２４時間を超えていれば（ステップＳ１０３→Ｙｅｓ）、ステップＳ１０９に進む。経過時間が２４時間以下ならば（ステップＳ１０３→Ｎｏ）、ステップＳ１０４に進む。
【００６５】
制御部１１２は、ステップＳ１０４において、天気予報情報１１３の受信日時情報１１３２を参照して、データ受信した時点からの経過時間が１２時間以内であるか否かを判定し、経過時間が１２時間を超えていれば（ステップＳ１０４→Ｎｏ）、ステップＳ１０８に進む。経過時間が１２時間以内であれば（ステップＳ１０４→Ｙｅｓ）、ステップＳ１０５に進む。
制御部１１２は、ステップＳ１０８において、天気予報情報を受信した時点からの経過時間に関する表示領域３９（図３Ａ）に「２４Ｈ内表示」を表示させ、ステップＳ１１０に進む。
【００６６】
制御部１１２は、ステップＳ１０５において、天気予報情報１１３の受信日時情報１１３２を参照して、データ受信した時点からの経過時間が８時間以内であるか否かを判定し、経過時間が８時間を超えていれば（ステップＳ１０５→Ｎｏ）、ステップＳ１０７に進む。経過時間が８時間以内であれば（ステップＳ１０５→Ｙｅｓ）、ステップＳ１０６に進む。
制御部１１２は、ステップＳ１０６において、表示領域３９（図３Ａ）に「最新情報」を表示させて、ステップＳ１１０に進む。
制御部１１２は、ステップＳ１０７において、表示領域３９（図３Ａ）に「１２Ｈ内表示」を表示させて、ステップＳ１１０に進む。
【００６７】
制御部１１２は、ステップＳ１１０において、ステップＳ１０２で求めた天気予報毎に天気番号に対応する天気マークの表示を表示部１２に行わせる（図９Ａ等を参照）。そして、天気予報の表示処理を終了する。
【００６８】
ステップＳ１０９において、制御部１１２は、表示領域３９（図３Ａ）をブランク（空白）表示させて、ステップＳ１１１に進む。
ステップＳ１１１において、制御部１１２は、週間天気予報情報１１４に該当日の天気予報があるか否かを判定する。なお、該当日とは、この判定をしている時点における年月日のことをいう。表示部１２は、有効な天気予報が無くなった天気予報情報１１３に替えて、週間天気予報情報１１４の該当日の天気予報を表示する（ステップＳ１１３）。
【００６９】
制御部１１２は、ステップＳ１１１において、週間天気予報情報１１４に該当日の天気予報が無い場合（ステップＳ１１１→Ｎｏ）、表示部１２上の天気マーク表示領域３５の該当部分をブランク（空白）表示させて（ステップＳ１１２）、天気予報状態の表示処理を終了する。
なお、上記のように有効な天気予報が無くなった際に、天気予報表示装置１の温度センサ１９ａと湿度センサ１９ｂと、図示していない気圧センサの測定結果などに基づいて、自ら天気を予報して、天気マーク表示領域３５の該当部分に天気マークを表示させるようにしてもよい。そして、携帯端末２が再接続された際に、天気予報情報サーバ３から受信していた天気予報情報を受信し、天気予報情報の表示を再開する。
【００７０】
制御部１１２は、ステップＳ１１１で週間天気予報情報１１４に本日の情報が有る場合には（ステップＳ１１１→Ｙｅｓ）、週間天気予報情報１１４の日付情報１１４３を参照して該当日の天気番号情報１１４４に対応する天気マークを求めて表示部１２上に表示を行わせる（図９Ｄ参照）。そして、天気予報の表示処理を終了する。
【００７１】
上述した実施形態の天気予報表示装置１は、天気予報情報サーバ３から天気予報情報１１３と週間天気予報情報１１４に係る天気予報情報を受信し、天気予報表示装置１で３時間毎の天気予報に替えて週間天気予報を表示する例を説明した。更に天気予報表示装置１で、天気予報情報サーバ３から受信する天気予報情報と異なる時間単位の天気予報を表示するようにしてもよい。
図１１により、天気予報表示装置１が天気予報情報サーバ３から１時間毎に天気予報情報を受信し、天気予報表示装置１で、３時間毎の天気予報に変換して表示する変形例を説明する。
【００７２】
図１１に示した変形例において、天気予報情報サーバ３は、例えば１２時から１７時までの１時間毎の天気予報を含む天気予報サーバ情報５１を送信する。
【００７３】
天気予報表示装置１は、天気予報情報サーバ３から天気予報サーバ情報５１の１時間毎の天気予報情報を受信し、０時・３時・６時・９時・１２時・１５時・１８時・２１時などのように３時間毎の天気予報情報を抜き出して、これを天気予報情報１１３ｘとする。
より具体的いうと、制御部１２は、天気予報サーバ情報５１の１２時と１５時の天気予報情報を抜き出し、これらを天気予報情報１１３ｘの情報内容とする。この天気予報情報１１３ｘは、最も単純に天気予報情報を抜き出した一例である。
【００７４】
また、天気予報表示装置１は、自身の表示時間幅である３時間に対応する天気予報サーバ情報５１の天気予報の中で、最も悪天候である天気予報情報を抽出して、これを天気予報情報１１３ｙとしてもよい。
より具体的にいうと、制御部１２は、天気予報サーバ情報５１の１４時と１５時と１６時の天気予報の中で、最も悪天候の「雨」を抽出して、これを天気予報情報１１３ｙの１５時における情報内容とする。この天気予報情報１１３ｙは、最も悪天候の天気予報情報を抽出した一例である。これにより、ユーザは、雨具の要否を正しく判断可能である。
なお、制御部１２が抽出する天候は、雨や雪などに限定されず、例えば夏期の昼間における「晴れ」などであってもよい。これによりユーザは、日傘などの紫外線対策の要否を正しく判断可能である。
【００７５】
更に、天気予報表示装置１が、天気予報サーバ情報５１の天気予報情報の時間変化を新たな天気予報とし、これを天気予報情報１１３ｚにおける天気予報としてもよい。
より具体的にいうと、制御部１２は、天気予報サーバ情報５１の１４時と１５時と１６時の天気予報の「雨」「くもり」「くもり」の天気の時間変化を、新たに「雨のちくもり」の天気予報とし、これを天気予報情報１１３ｚの１５時における天気予報とする。この天気予報情報１１３ｚは、予報にかかる期間内の天気予報情報の時間変化を新たな天気マークで示した一例である。これにより、天気予報表示装置１は、天気予報の表示精度を向上させることができる。
【００７６】
上述した例では、天気予報表示装置１が、天気予報サーバ情報５１の各天気予報情報を天気予報情報１１３ｘ〜１１３ｚに変換することを説明したが、携帯端末２がこの変換を行って、天気予報表示装置１に送信するようにしてもよい。これにより、天気予報表示装置１の天気予報情報を記憶する領域を削減することができる。
【００７７】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
所定期間における各日時の天気の予報である第１予報、及び／又は前記所定期間よりも長い期間における各日時の天気の予報である第２予報を含む天気予報情報を受信する近距離無線通信部と、
第１天気予報、及び／又は第２天気予報を表示する表示部と、
制御部と、を備え、
前記制御部は、
前記近距離無線通信部が受信した前記天気予報情報のうち前記第１予報を基に前記表示部に表示する前記第１天気予報を決定し、前記近距離無線通信部が受信した前記天気予報情報のうち前記第２予報を基に前記表示部に表示する前記第２天気予報を決定し、
前記近距離無線通信部が前記第１予報を受信できなかった期間があった場合、前記第２予報を基に前記受信できなかった期間に対応する前記第１天気予報を決定する、
ことを特徴とする天気予報表示装置。
《請求項２》
前記第１予報の所定期間は、少なくとも１日分であり、
前記第２予報の期間は、前記第１予報の期間よりも長い複数日分である、
ことを特徴とする請求項１に記載の天気予報表示装置。
《請求項３》
現在の日時を計時する計時部と、を備え、
前記制御部は、
前記近距離無線通信部が前記天気予報情報を受信した日時である受信日時を前記計時部が計時する日時から特定し、
前記計時部で計時する現在の日時、及び特定した前記受信日時に応じて前記第１天気予報及び前記第２天気予報を更新する、
ことを特徴とする請求項１又は２に記載の天気予報表示装置。
《請求項４》
現在の日時を計時する計時部と、
前記第１天気予報、及び／又は前記第２天気予報を所定の声色で発音して通知する発音部と、を備え、
前記制御部は、
前記近距離無線通信部が前記天気予報情報を受信した日時である受信日時を前記計時部が計時する日時から特定し、
前記計時部で計時する現在の日時、及び特定した前記受信日時に応じて前記所定の声色を変更する、
ことを特徴とする請求項１乃至３のいずれか一項に記載の天気予報表示装置。
《請求項５》
前記第１予報の所定期間を複数の時間帯に係る天気の予報を含み、
前記制御部は、前記第１予報の前記複数の時間帯に係る天気の予報に特定の天気の予報が含まれる場合、前記特定の天気を前記表示部に表示する前記第１天気予報として決定する、
ことを特徴とする請求項１乃至４のいずれか一項に記載の天気予報表示装置。
《請求項６》
請求項１乃至５のいずれか一項に記載の天気予報表示装置と、
現在の日時を計時する計時部と、を備え、
前記制御部は、前記計時部が計時する現在日時を前記表示部に表示させる
ことを特徴とする電子時計。
《請求項７》
近距離無線通信部と、表示部と、制御部と、を備える天気予報表示装置の表示制御方法であって、
前記近距離無線通信部が、所定期間における各日時の天気の予報である第１予報、及び前記所定期間よりも長い期間における各日時の天気の予報である第２予報を含む天気予報情報を受信するステップと、
前記制御部が、前記近距離無線通信部が受信した前記天気予報情報のうち前記第１予報を基に前記表示部に表示する第１天気予報を決定し、前記近距離無線通信部が受信した前記天気予報情報のうち前記第２予報を基に前記表示部に表示する第２天気予報を決定するステップ、
前記制御部が、前記近距離無線通信部が前記第１予報を受信できなかった期間があった場合、前記第２予報を基に前記受信できなかった期間に対応する前記第１天気予報を決定するステップ、
前記表示部が、前記第１天気予報、及び／又は前記第２天気予報を表示するステップ、
を含むことを特徴する表示制御方法。
《請求項８》
近距離無線通信部と、表示部と、制御部と、を備える天気予報表示装置のコンピュータに、
前記近距離無線通信部に、所定期間における各日時の天気の予報である第１予報、及び前記所定期間よりも長い期間における各日時の天気の予報である第２予報を含む天気予報情報を受信させる手順、
前記制御部に、前記近距離無線通信部が受信した前記天気予報情報のうち前記第１予報を基に前記表示部に表示する第１天気予報を決定させ、前記近距離無線通信部が受信した前記天気予報情報のうち前記第２予報を基に前記表示部に表示する第２天気予報を決定させる手順、
前記制御部に、前記近距離無線通信部が前記第１予報を受信できなかった期間があった場合、前記第２予報を基に前記受信できなかった期間に対応する前記第１天気予報を決定させる手順、
前記表示部に、前記第１天気予報、及び／又は前記第２天気予報を表示させる手順、
を実行させるための天気予報表示プログラム。
【符号の説明】
【００７８】
１１  マイクロコンピュータ
１２  表示部
１３  表示ドライバ
１４  操作受付部
１５  無線通信部  （近距離無線通信部）
１６  振動子
１７  電源供給部
１８  ＲＯＭ
１１０  ＣＰＵ
１１１  発音部
１１２  制御部
１１３  天気予報情報  （第１予報）
１１４  週間天気予報情報  （第２予報）
１１５  周辺回路
１１６  ＲＡＭ
１９ａ  温度センサ
１９ｂ  湿度センサ
１１８ａ  分周回路  （計時部の一部）
１１８ｂ  発信回路  （計時部の一部）
１１８ｃ  計時回路  （計時部の一部）
【図１】
2018048934.tif 000003
【図２】
2018048934.tif 000004
【図３Ａ】
2018048934.tif 000005
【図３Ｂ】
2018048934.tif 000006
【図３Ｃ】
2018048934.tif 000007
【図４】
2018048934.tif 000008
【図５】
2018048934.tif 000009
【図６】
2018048934.tif 000010
【図７】
2018048934.tif 000011
【図８】
2018048934.tif 000012
【図９Ａ】
2018048934.tif 000013
【図９Ｂ】
2018048934.tif 000014
【図９Ｃ】
2018048934.tif 000015
【図９Ｄ】
2018048934.tif 000016
【図９Ｅ】
2018048934.tif 000017
【図１０】
2018048934.tif 000018
【図１１】
2018048934.tif 000019